(57)【要約】  中継ノード、時分割二重通信方式、及び通信方式が開示されている。通信システムは、基地局と、移動局と、中継ノードとを有する。前記中継ノードは、同期して、状態を受信し、かつ、伝送しない。本通信方法は、中継ノードが、フレームの予め定められたダウンリンクサブフレームによって、基地局から第１の信号を受信し、かつ、フレームの予め定められたアップリンクサブフレームによって、基地局に、第２の信号を送信するよう構成されている。第１の信号は第２の信号のための応答信号であるか、又は、第２の信号は第１の信号のための応答信号である。
2013502767.tif 000002
【特許請求の範囲】
【請求項１】
時分割二重通信方式の通信方法であって、前記通信方式は、基地局、移動局及び中継ノードを含み、前記中継ノードは、同時に受信状態及び送信状態になることはなく、当該通信方法は、
前記中継ノードによって、フレームの予め定められたダウンリンクサブフレームにおいて、第１の信号を前記基地局から、受信するステップと；
前記中継ノードによって、フレームの予め定められたアップリンクサブフレームにおいて、第２の信号を前記基地局に送信するステップと；
を有し、
前記第１の信号は前記第２の信号に対する応答信号であるか、又は、前記第２の信号は前記第１の信号に対する応答信号である、方法。
【請求項２】
各々のフレームは、第０のサブフレームから第９のサブフレームまでの１０個のサブフレームを有し、前記第２、前記第３、前記第７及び前記第８のサブフレームはアップリンクサブフレームであり、かつ、他のサブフレームはダウンリンクサブフレームであり、かつ、
前記中継ノードは、前記第４のサブフレームによって、前記基地局から、前記第１の信号を受信し、かつ、前記中継ノードは、前記第８のサブフレームによって、前記基地局に前記第２の信号を送信し；又は、
前記中継ノードは、前記第９のサブフレームによって、前記基地局から、前記第１の信号を受信し、かつ、前記中継ノードは、前記第３のサブフレームによって、前記基地局に前記第２の信号を送信する、
請求項１記載の方法。
【請求項３】
各々のフレームは、第０のサブフレームから第９のサブフレームまでの１０個のサブフレームを有し、前記第２、前記第３、前記第７及び前記第８のサブフレームは、アップリンクサブフレームであり、他のサブフレームは、ダウンリンクサブフレームであり、かつ
前記中継ノードは、前記第９のサブフレームによって、前記基地局から、前記第１の信号を受信し、前記中継ノードは、前記第３のサブフレームによって、前記基地局に前記第２の信号を送信し；かつ、前記中継ノードは、前記第４のサブフレームによって、前記基地局から、第３の信号を受信し、かつ、前記中継ノードは、前記第８のサブフレームによって、前記基地局に第４の信号を送信し、前記第３の信号は、前記第４の信号に対する応答信号、又は、前記第４の信号は、前記第３の信号に対する応答信号である、
請求項１記載の方法。
【請求項４】
各々のフレームは、第０のサブフレームから第９のサブフレームまでの１０個のサブフレームを有し、前記第２、前記第３、前記第７及び前記第８のサブフレームは、アップリンクサブフレームであり、他のサブフレームは、ダウンリンクサブフレームであり、かつ、
前記中継ノードは、前記第４のサブフレームによって、前記基地局から、第５の信号を受信し、前記中継ノードは、前記第９のサブフレームによって、前記基地局から、第６の信号を受信し；かつ、前記中継ノードが前記第３のサブフレームによって、前記基地局に前記第５の信号及び前記第６の信号に対する応答信号を送信する、
請求項１記載の方法。
【請求項５】
各々のフレームは、第０のサブフレームから第９のサブフレームまでの１０個のサブフレームを有し、前記第２、前記第３、前記第７及び前記第８のサブフレームは、アップリンクサブフレームであり、他のサブフレームは、ダウンリンクサブフレームであり、かつ、
前記中継ノードが前記第３のサブフレームによって、前記基地局に第７の信号を送信し、前記中継ノードは、前記第９のサブフレームによって、前記基地局から、前記第７の信号に対する応答信号を受信し、前記中継ノードは、前記第４のサブフレームによって、前記基地局から、第８の信号を受信し、かつ、前記中継ノードは、前記第３のサブフレームによって、前記基地局に、前記第８の信号に対する応答信号を送信する、
請求項１記載の方法。
【請求項６】
各々のフレームは、第０のサブフレームから第９のサブフレームまでの１０個のサブフレームを有し、前記第２、前記第３、及び前記第４のサブフレームは、アップリンクサブフレームであり、他のサブフレームは、ダウンリンクサブフレームであり、かつ、
前記中継ノードが前記第３のサブフレームによって、前記基地局に前記第１の信号を送信し、前記中継ノードは、前記第７、又は、前記第８のサブフレームによって、前記基地局から、前記第２の信号を受信し；又は、
前記中継ノードは、前記第９のサブフレームによって、前記基地局から、前記第１の信号を受信し、前記中継ノードは、前記第３のサブフレームによって、前記基地局に前記第２の信号を送信する、
請求項１記載の方法。
【請求項７】
各々のフレームは、第０のサブフレームから第９のサブフレームまでの１０個のサブフレームを有し、前記第２、前記第３、及び前記第４のサブフレームは、アップリンクサブフレームであり、他のサブフレームは、ダウンリンクサブフレームであり、かつ、
前記中継ノードは、前記第７のサブフレームによって、前記基地局から、第９の信号を受信し、前記中継ノードは、前記第８のサブフレームによって、前記基地局から、第１０の信号を受信し、かつ、前記中継ノードは、前記第３のサブフレームによって、前記基地局に前記第９の信号及び前記第１０の信号に対する応答信号を送信する、
請求項１記載の方法。
【請求項８】
各々のフレームは、第０のサブフレームから第９のサブフレームまでの１０個のサブフレームを有し、前記第２、前記第３、前記第７及び前記第８のサブフレームは、アップリンクサブフレームであり、他のサブフレームは、ダウンリンクサブフレームであり、かつ、
前記中継ノードは、前記第４のサブフレームによって、前記基地局に前記第１の信号を送信し、前記中継ノードは、前記第９のサブフレームによって、前記基地局から、前記第２の信号を受信する、
請求項１記載の方法。
【請求項９】
時分割二重通信方式において使用される、中継ノードであって、前記通信システムは、基地局、移動局及び中継ノードを含んでおり、前記中継ノードは、同時に受信状態及び送信状態になることはないトランシーバを含み、前記トランシーバは、
フレームの予め定められたダウンリンクサブフレームを前記基地局から、第１の信号を受信し；
第２の信号のフレームを予め定められたアップリンクサブフレームで前記基地局に送信する；
処理を実行するよう構成されており、
前記第１の信号は、前記第２の信号に対する応答信号であるか、又は、前記第２の信号は、前記第１の信号に対する応答信号である、
中継ノード。
【請求項１０】
各々のフレームは、第０のサブフレームから第９のサブフレームまでの１０個のサブフレームを有し、前記第２、前記第３、前記第７及び前記第８のサブフレームは、アップリンクサブフレームであり、他のサブフレームは、ダウンリンクサブフレームであり、かつ、
前記トランシーバは、前記第４のサブフレームによって、前記基地局から前記第１の信号を受信し、かつ、前記第２の信号を前記第８のサブフレームによって、前記基地局に送信するように構成され；又は、
前記トランシーバは、前記第９のサブフレームによって、前記基地局から前記第１の信号を受信し、かつ、前記第３のサブフレームによって、前記第２の信号を前記基地局に送信するように構成される、
請求項９記載の中継ノード。
【請求項１１】
各々のフレームは、第０のサブフレームから第９のサブフレームまでの１０個のサブフレームを備え、前記第２、前記第３、前記第７及び前記第８のサブフレームは、アップリンクサブフレームであり、他のサブフレームは、ダウンリンクサブフレームであり、かつ、
前記トランシーバは、前記第９のサブフレームによって、前記基地局から前記第１の信号を受信し、かつ、前記第２の信号を前記第３のサブフレームによって、前記基地局に送信するように構成され；かつ、前記トランシーバは、前記第４のサブフレームによって、前記基地局から前記第３の信号を受信し、かつ、第４の信号を前記第８のサブフレームによって、前記基地局に送信するように構成され、前記第３の信号は前記第４の信号に対する応答信号であるか、又は、前記第４の信号は前記第３の信号に対する応答信号である、
請求項９記載の中継ノード。
【請求項１２】
各々のフレームは、第０のサブフレームから第９のサブフレームまでの１０個のサブフレームを備え、前記第２、前記第３、前記第７及び前記第８のサブフレームは、アップリンクサブフレームであり、他のサブフレームは、ダウンリンクサブフレームであり、かつ、
前記トランシーバは、前記第４のサブフレームによって、前記基地局から第５の信号を受信し、前記第９のサブフレームによって、第６の信号を前記基地局から受信し、かつ、前記第５の前記信号及び第６の信号に対する応答信号を、前記第３のサブフレームによって、前記基地局に信号を送信するように構成される、
請求項９記載の中継ノード。
【請求項１３】
各々のフレームは、第０のサブフレームから第９のサブフレームまでの１０個のサブフレームを備え、前記第２、前記第３、前記第７及び前記第８のサブフレームは、アップリンクサブフレームであり、他のサブフレームは、ダウンリンクサブフレームであり、かつ、
前記トランシーバは、第７の信号を前記第３のサブフレームによって、前記基地局に送信し、前記第９のサブフレームによって、前記基地局から、前記第７の信号に対する応答信号を受信し、前記第４のサブフレームによって、前記基地局からの第８の信号を受信し、かつ、前記第３のサブフレームによって、前記基地局に対する前記第８の信号に対する応答信号を送るよう構成される、
請求項９記載の中継ノード。
【請求項１４】
各々のフレームは、第０のサブフレームから第９のサブフレームまでの１０個のサブフレームを有し、前記第２、前記第３、及び前記第４のサブフレームは、アップリンクサブフレームであり、他のサブフレームは、ダウンリンクサブフレームであり、かつ、
前記トランシーバは、前記第１の信号を前記第３のサブフレームによって、前記基地局に送信し、かつ、前記第７、又は、前記第８のサブフレームによって、前記基地局から前記第２の信号を受信するように構成され；又は、
前記トランシーバは、前記第９のサブフレームによって、前記基地局から前記第１の信号を受信し、かつ、前記第３のサブフレームによって、前記第２の信号を前記基地局に送信するように構成される、
請求項９記載の中継ノード。
【請求項１５】
各々のフレームは、第０のサブフレームから第９のサブフレームまでの１０個のサブフレームを有し、前記第２、前記第３、及び前記第４のサブフレームは、アップリンクサブフレームであり、他のサブフレームは、ダウンリンクサブフレームであり、かつ、
前記トランシーバは、前記第７のサブフレームによって、前記基地局から第９の信号を受信し、前記第８のサブフレームによって、第１０の信号を前記基地局から受信し、かつ、前記第３のサブフレームによって、前記第９及び前記第１０の信号に対する応答信号を前記基地局に送るように構成される、
請求項９記載の中継ノード。
【請求項１６】
各々のフレームは、第０のサブフレームから第９のサブフレームまでの１０個のサブフレームを備え、前記第２、前記第３、前記第７、第４、及び前記第８のサブフレームは、アップリンクサブフレームであり、他のサブフレームは、ダウンリンクサブフレームであり、かつ、
トランシーバは、前記第１の信号を前記第４のサブフレームによって、前記基地局に送信し、かつ、前記第９のサブフレームによって、前記基地局から前記第２の信号を受信するように構成される、
請求項９記載の中継ノード。
【請求項１７】
基地局、移動局、及び中継ノードを有する、請求項９ないし１６のうちいずれか１項記載の時分割二重通信システム。
【請求項１８】
前記基地局は、通信の初めに、前記中継ノードに予め定められたアップリンクサブフレーム及び予め定められたダウンリンクサブフレームを知らせるように構成される、請求項１７記載の時分割二重通信システム。
【請求項１９】
前記基地局は、通信の初めに、異なる前記中継ノードに異なる予め定められたアップリンクサブフレーム及び予め定められたダウンリンクサブフレームを知らせるように構成される、請求項１８記載の時分割二重通信システム。
【発明の詳細な説明】
【技術分野】
【０００１】
本発明は、ワイヤレス通信の分野に関する。より詳細には、時分割二重通信方式における通信方法および中継ノードに関する。
【背景技術】
【０００２】
ワイヤレスマルチメディアサービスの急速な発展に伴い、ユーザからは、データ通信能力および伝送品質のさらなる改善が要求されている。しかしながら、ある要因、例えば複雑なワイヤレス環境のデッドスペースおよび隠れた領域による影響のため、ユーザが高速でかつ高品質である連続的な通信サービスを得ることは困難である。この問題を解決するために、ワイヤレスシステムにおいて、中継ノードが利用されている。中継ノードは、基地局と移動局の間の通信信号を中継し、ワイヤレスシステムのシステムスループット及びユーザデータレートを改善する。
【０００３】
図１は、ワイヤレス通信システムの概略を示している。図１に示すように、ワイヤレス通信システムは、基地局、中継ノードおよび移動局を有する。移動局は、中継局によりサービスを提供される移動局２と、基地局によりサービスを提供される移動局１に分けられる。図１の実線矢印によって示されるように、基地局と中継ノード間のリンクは中継リンクと呼ばれる。図１の破線矢印によって示されるように、中継ノードと移動局間、又は、基地局と移動局間のリンクはアクセスリンクと呼ばれる。基地局はある時刻に中継リンクを介してデータを中継ノードに送信する、そして、続くある時刻に、中継ノードはアクセスリンクを介して移動局にデータを送る。
【０００４】
以下、ＬＴＥ（Ｌｏｎｇ  Ｔｉｍｅ  Ｅｖｏｌｕｔｉｏｎ）ＴＤＤ（時分割多重）ワイヤレス通信システムを例として取り上げることによって、ワイヤレス通信において使用されるフレーム構造について記述する。ＬＴＥ  ＴＤＤワイヤレス通信システムのフレーム構造の各フレームは、１０ｍｓの長さで、各々が１ｍｓの長さの１０個のサブフレームを有する。フレーム内のダウンリンクサブフレームとアップリンクサブフレームとの異なる比に依存して、以下の表に示すように、全体で、ＬＴＥ  ＴＤＤワイヤレス通信システムで定められる７つのサブフレーム構成が存在する。
【表１】
2013502767.tif 000003
表１：ＬＴＥ  ＴＤＤ通信システムにおけるアップリンク及びダウンリンクのサブフレーム構造
【０００５】
表１において、Ｕは、アップリンクサブフレームを表す。そして、Ｄは、ダウンリンクサブフレームを表す。Ｓは、特別なサブフレームを表す。Ｓサブフレームにおいて、最初の幾つかのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルがダウンリンクのデータ送信に利用される。そして、その後の幾つかのＯＦＤＭシンボルは、アップリンクとダウンリンクのスイッチング及びアップリンクアクセス信号の送信に利用される。説明を簡単にするために、この特別なサブフレームとダウンリンクサブフレームとを、ダウンリンクサブフレームとして集合的に呼ぶことにする。アップリンクサブフレームＵは、移動局から中継ノードへの、又は、移動局から基地局への信号伝送のために利用され、あるいは、中継ノードから基地局への信号伝送のために利用される。ダウンリンクサブフレームおよび特別なサブフレームＳは、基地局から移動局へ、又は、中継ノードから移動局への信号伝送のために、又は、基地局から中継ノードへの信号伝送のために利用される。
【０００６】
基地局又は中継ノードによって送られたデータを受信した後に、移動局は基地局又は中継ノードに復号応答信号ＡＣＫ／ＮＡＣＫを送信することを必要とする（ＡＣＫは復号信号が正しいことを意味し、ＮＡＣＫは復号信号が誤っていることを意味する）。既存のＬＴＥ  ＴＤＤ標準において、デバイスによるデータ受信とデバイスによるＡＣＫ／ＮＡＣＫフィードバック間の時間間隔は、３ｍｓ以上を必要とする。すなわち、３個のサブフレームの間隔である。そして、図２（ａ）、図２（ｂ）及び図２（ｃ）に示されるように、ＡＣＫ／ＮＡＣＫフィードバック位置は、７個のサブフレーム構成において固定的に設定されている。これらは、それぞれ、ＬＴＥ  ＴＤＤのサブフレーム構造１、３、及び６を示している。図２（ａ）に示されるように、サブフレーム構造１に従って、例えば、移動局は、０番目のサブフレーム及び／又は１番目のサブフレームのデータを受信した後、７番目のサブフレームにＡＣＫ／ＮＡＣＫをフィードバックすることが必要である。そして、例えば、基地局は、２番目のサブフレームのデータを受信した後、６番目のサブフレームにＡＣＫ／ＮＡＣＫをフィードバックする必要がある。
【０００７】
中継ノードが考慮される場合には、図２に示されるフィードバック方式には課題があり得る。その理由は、幾つかのアップリンクサブフレームは、中継ノードが信号を基地局に送信するアップリンク中継リンクサブフレームに設定されなければならない。そして幾つかのダウンリンクサブフレームは、中継ノードが信号を移動局に送信するダウンリンク中継リンクサブフレームに設定されなければならないからである。
【０００８】
移動局がデータを受信した後に生成するＡＣＫ／ＮＡＣＫは、対応する固定されたアップリンクサブフレームにおいて送られなければならない。それらのアップリンクサブフレームがアップリンクリレーリンクサブフレームとして使用される場合、中継ノードがアップリンク中継リンクの送信状態にあるため、中継ノードは移動局からＡＣＫ／ＮＡＣＫを受信することができない。すなわち、ＡＣＫ／ＮＡＣＫ及びデータ間の衝突がある。図３は、この衝突がどのように起こるかについて説明するための例として示した図である。図３において、サブフレーム＃２はアップリンク中継リンクサブフレームとしてセットされ、かつ、サブフレーム＃９はダウンリンク中継リンクサブフレームとしてセットされる。第５のサブフレーム及び第６のサブフレームの中継ノードによって送られるデータ信号は、第２のサブフレームの中継ノードに移動局によってフィードバックされるＡＣＫ／ＮＡＣＫに対応する。しかしながら、中継ノードは、中継ノードによってサービスを提供される移動局によってフィードバックされるＡＣＫ／ＮＡＣＫを受信することができない。なぜなら、この時点において、サブフレーム＃２は、アップリンク中継リンクサブフレームとして使用されているからであり、すなわち、中継ノードは送信状態にあるからである。すなわち、ＡＣＫ／ＮＡＣＫ及びデータ送信間の衝突が起こる。
【発明の概要】
【発明が解決しようとする課題】
【０００９】
ＡＣＫ／ＮＡＣＫ及びデータ間の上述した衝突を回避することが可能である方式を提供することが必要である。
【課題を解決するための手段】
【００１０】
（発明の開示）
本発明の一実施態様は、時分割二重通信方式の通信方式を提供する。通信システムは、基地局、移動局及び中継ノードを有し、中継ノードは、同時に受信状態及び送信状態とならない。通信方法は、フレームの予め定められたダウンリンクサブフレームにおいて、中継ノードによって、基地局から第１の信号を受信するステップと；中継ノードによって、フレームの予め定められたアップリンクサブフレームにおいて、第２の信号を基地局に対して送信するステップと；を有し、第１の信号は第２の信号に対する応答信号であるか、又は、第２の信号は第１の信号に対する応答信号である、方法を提供する。
【００１１】
本発明の一態様では、時分割二重通信方式において使用される、中継ノードであって、前記通信システムは、基地局、移動局、及び中継ノードを含んでおり、前記中継ノードは、前記トランシーバを含んでおり、前記トランシーバは、フレームの予め定められたダウンリンクサブフレームの基地局から、第１の信号を受信し、第２の信号のフレームを予め定められたアップリンクサブフレームで基地局に送信する処理を実行するよう構成されており、第１の信号は第２の信号に対する応答信号であるか、又は、第２の信号は第１の信号に対する応答信号である、中継ノードが提供される。
【００１２】
本発明の別の態様では、基地局、移動局及び上述した中継ノードを含む時分割二重通信方式が提供される。
【００１３】
本発明は、以下に添付の図面とともに詳細な説明を参照することによってよりよく理解され得る。以下の詳細な説明とともに参照する添付の図面は、本願明細書に含まれ、開示を構成する。本発明の好適な実施形態を更に説明し、かつ、本発明の原理及び効果を説明している。
【図面の簡単な説明】
【００１４】
【図１】ワイヤレス通信システムを示す図である。
【図２】図２（ａ）、図２（ｂ）及び図２（ｃ）は、それぞれサブフレーム構成１、３及び６の概略、及びＬＴＥ  ＴＤＤ無線通信方式におけるＡＣＫ／ＮＡＣＫフィードバック方式を示す図である。
【図３】従来技術のＡＣＫ／ＮＡＣＫとデータとの間での衝突を示す図である。
【図４】本発明の一実施形態に従って、時分割二重通信システムにおける通信方法のフローチャートを示す図である。
【図５】サブフレーム構成１の第１のＡＣＫ／ＮＡＣＫフィードバック方式を示す図である。
【図６】サブフレーム構成１の第２のＡＣＫ／ＮＡＣＫフィードバック方式を示す図である。
【図７】サブフレーム構成１の第３のＡＣＫ／ＮＡＣＫフィードバック方式を示す図である。
【図８】サブフレーム構成１の第４のＡＣＫ／ＮＡＣＫフィードバック方式を示す図である。
【図９】サブフレーム構成３の第１のＡＣＫ／ＮＡＣＫフィードバック方式を示す図である。
【図１０】サブフレーム構成３の第２のＡＣＫ／ＮＡＣＫフィードバック方式を示す図である。
【図１１】サブフレーム構成６のＡＣＫ／ＮＡＣＫフィードバック方式を示す図である。
【図１２】本発明の一実施形態による中継ノードの構造の概要を示す図である。
【図１３】本発明の一実施形態による時分割二重通信方式の構造の概略を示す図である。
【発明を実施するための形態】
【００１５】
本発明の実施形態は、添付の図面を参照することによって以下に示す。本発明に無関係で、かつ当業者によってすでに知っているコンポーネント及び方法の表現及び説明は、簡潔にするために添付の図面及びこの説明において省略される点に留意する必要がある。
【００１６】
ＬＴＥ  ＴＤＤ無線通信方式において、中継ノードは、同時に受信状態及び送信状態になってはならない。したがって、ダウンリンク中継リンクで、中継ノードは、受信状態にある場合、この中継ノードがサービスを提供している移動ノードにいかなる信号も送らない。そして、アップリンク中継リンクで、中継ノードが送信状態にある場合、移動局からこの中継局に送信されたいかなる信号をも受信しないこととなる。したがって、中継局をより効果的に利用するために、一般的に、１０ｍｓフレームの１つ以上のサブフレームは、中継リンクの通信のために利用される中継リンクサブフレームとして構成され、そして、その他のサブフレームは、アクセスリンクにおける通信のために利用されるアクセスリンクサブフレームとして構成される。
【００１７】
前述の衝突の課題の発生を回避するために、本発明の実施形態においてアップリンク中継リンクサブフレームとダウンリンク中継リンクサブフレームとをペアにする方式が提供される。
【実施例】
【００１８】
図４は、本発明の一実施形態に従って、時分割二重通信システムの通信方法のフローチャートを示す。
【００１９】
ステップＳ４０２において、中継ノードは、フレームの予め定められたダウンリンクサブフレームによって、基地局から、第１の信号を受信する。
【００２０】
ステップＳ４０４において、中継ノードは、第２の信号をフレームの予め定められたアップリンクサブフレームによって、基地局に送信する。本願明細書において、第１の信号は第２の信号に対する応答信号である。又は、第２の信号は第１の信号に対する応答信号である。
【００２１】
中継ノードが第１の信号を受信する予め定められたダウンリンクサブフレームと、中継ノードが第２の信号を送る予め定められたアップリンクサブフレームとは、同じフレームではない点に留意する必要がある。
【００２２】
ステップＳ４０２及びＳ４０４で、予め定められたダウンリンクサブフレームは、ダウンリンク中継リンクとして使用されるために予め定められたサブフレームであり、かつ、予め定められたアップリンクサブフレームはアップリンク中継リンクとして使用されるために予め定められたサブフレームである。上述した応答信号は、データ信号のためのＡＣＫ／ＮＡＣＫフィードバック信号であってもよい。すなわち、第１の信号はデータ信号であってもよく、かつ、第２の信号は第１の信号のための復号応答信号（すなわち、ＡＣＫ／ＮＡＣＫフィードバック信号）であってもよい。又は、第２の信号はデータ信号であってもよく、かつ、第１の信号は第２の信号のためのＡＣＫ／ＮＡＣＫフィードバック信号であってもよい。
【００２３】
上述した方法において、アップリンク中継リンクサブフレームと、ダウンリンク中継リンクサブフレームとをペアにすることによって、これらの２つのサブフレームは、中継ノードと基地局との間で、データ信号と、データ信号に対する応答信号の伝送とのためにそれぞれ使用される。すなわち、中継ノードがダウンリンク中継サブフレームによって、基地局からデータ信号を受信する場合、中継ノードは、ペアになっているアップリンクサブフレームで、データ信号の応答信号を基地局に送信する。そして、中継ノードがアップリンクサブフレームによって基地局にデータ信号を送信する場合、中継ノードは基地局から、ペアになっているダウンリンク中継サブフレームによってデータ信号に対する応答信号を受信する。中継リンクサブフレームよりむしろこのサブフレームが、アクセスリンクサブフレームとなる。ダウンリンク中継リンクサブフレーム及びアップリンク中継リンクサブフレームがすでにペアになっているため、移動局は、アップリンク中継リンクサブフレームにおいて、ダウンリンクアクセスリンクサブフレームで移動局に中継ノードによって送られるデータ信号のためのフィードバックを実行することは不要である。したがって、衝突は、回避される。ダウンリンク中継リンクサブフレームと、アップリンク中継リンクサブフレームの１つ又は複数の上述したペアが存在する。
【００２４】
以下に、ＡＣＫ／ＮＡＣＫフィードバック方式に関して、ＬＴＥ  ＴＤＤワイヤレス通信システムを例示して詳述する。
【００２５】
ＬＴＥ  ＴＤＤ無線通信方式において、１０ｍｓのフレームで、ブロードキャスト信号、アドレス指定信号及び同期信号は、第０のサブフレーム、第１のサブフレーム、第５のサブフレーム及び第６のサブフレームによって、固定的に伝送される。すなわち、移動局は基地局又は中継ノードから、これらの４つのサブフレームによってシステム情報を受信する。したがって、第０のサブフレーム、第１のサブフレーム、第５のサブフレーム及び第６のサブフレームは、中継リンクサブフレーム以外のダウンリンクアクセスリンクサブフレームとしてだけ使用されてもよい。上述の通り、第０のサブフレーム、第１のサブフレーム、第５のサブフレーム及び第６のサブフレームは、ダウンリンク中継リンクサブフレームとして使用することができないため、第０のサブフレーム、第１のサブフレーム、第５のサブフレーム、第６のサブフレーム及び他のダウンリンクアクセスリンクサブフレームは、基地局及び中継ノードによってのみ使用され、それらがそれぞれサービスを提供する移動局に信号を送信する。
【００２６】
さらに、既存のＬＴＥ  ＴＤＤ標準において、デバイスによるデータの受信と、デバイスのＡＣＫ／ＮＡＣＫフィードバックとの間の時間間隔は、３ｍｓ以上でなければならないと規定されている。すなわち、３つのサブフレーム間の長さである。
【００２７】
図５は、サブフレーム構造１の第１のＡＣＫ／ＮＡＣＫフィードバック方式を示している。
【００２８】
図５に示すように、ＬＴＥ  ＴＤＤのサブフレーム構成１によれば、サブフレーム構成１の第１のＡＣＫ／ＮＡＣＫフィードバック方式を示す。各々のフレームの第０から第９のサブフレームのうち、第２、第３、第７及び第８のサブフレームはアップリンクサブフレームで、かつ、他のサブフレームはダウンリンクサブフレームである。さらに、中継ノードは第４のサブフレームによって基地局から第１の信号を受信し、かつ、中継ノードは第８のサブフレームによって基地局に第２の信号を送信する。第１の信号は第２の信号に対する応答信号であるか、又は、第２の信号は第１の信号に対する応答信号である。この方式では、第４のサブフレームが第８のサブフレームとペアとされることが分かる。
【００２９】
具体的には、第４のサブフレームはダウンリンク中継リンクサブフレームであり、中継ノードはこのサブフレームにおいて、受信状態にあり、かつ基地局から例えばデータ信号を受信する。第８のサブフレームはアップリンク中継リンクサブフレームであり、中継ノードはこのサブフレームにおいて、送信状態にあり、例えばデータ信号に対する復号応答信号ＡＣＫ／ＮＡＣＫを基地局にフィードバックする。第４のサブフレームがダウンリンク中継リンクサブフレームとして使用される場合には、第４のサブフレームはダウンリンクアクセスリンクサブフレームとして使用することができない。そして、移動局はＡＣＫ／ＮＡＣＫを第４のサブフレームに対応するＡＣＫ／ＮＡＣＫフィードバック位置にある第８のサブフレームによって、中継ノードにフィードバックしない。したがって、中継ノードは、ＡＣＫ／ＮＡＣＫを第８のサブフレームによって、基地局に送信してもよい。したがって、中継ノードが信号を送るときに、信号を受信しなければならないという衝突は回避される。
【００３０】
図６は、サブフレーム構成１の第２のＡＣＫ／ＮＡＣＫフィードバック方式を示す。
【００３１】
図６に示すように、ＬＴＥ  ＴＤＤのサブフレーム構成１によれば、各々のフレームの第０から第９のサブフレームの中で、第２、第３、第７及び第８のサブフレームはアップリンクサブフレームであり、他のサブフレームはダウンリンクサブフレームである。さらに、中継ノードは第９のサブフレームによって、基地局から第１の信号を受信し、かつ、中継ノードは第３のサブフレームによって、第２の信号を基地局に送信する。この方式では、第９のサブフレームは、第３のサブフレームとペアにされることが分かる。
【００３２】
具体的には、第９のサブフレームはダウンリンク中継リンクサブフレームであり、かつ、中継ノードはこのサブフレームにおいて受信状態にあり、基地局から例えばデータ信号を受信する。第３のサブフレームはアップリンク中継リンクサブフレームであり、かつ、中継ノードはこのサブフレームにおいて、送信状態であり、かつ、例えばデータ信号に対する復号応答信号ＡＣＫ／ＮＡＣＫを基地局にフィードバックする。第９のサブフレームがダウンリンク中継リンクサブフレームとして使用される場合には、第９のサブフレームはダウンリンクアクセスリンクサブフレームとして使用することができない。そして、移動局は、第９のサブフレームに対応するＡＣＫ／ＮＡＣＫフィードバック位置としての第３のサブフレームによって、ＡＣＫ／ＮＡＣＫを中継ノードにフィードバックしない。したがって、中継ノードは、ＡＣＫ／ＮＡＣＫを第３のサブフレームによって、基地局に送信してもよい。よって、中継ノードが信号を送るときに、信号を受信しなければならない衝突を回避できる。
【００３３】
図７は、サブフレーム構成１の第３のＡＣＫ／ＮＡＣＫフィードバック方式を示す。
【００３４】
図７に示すように、ＬＴＥ  ＴＤＤのサブフレーム構成１によれば、各々のフレームの第０から第９のサブフレームにおいて、第２、第３、第７及び第８のサブフレームはアップリンクサブフレームであり、かつ、他のサブフレームはダウンリンクサブフレームである。さらに、中継ノードは第９のサブフレームによって、基地局から第１の信号を受信し、かつ、中継ノードは第３のサブフレームによって、第２の信号を基地局に送信する。中継ノードは第４のサブフレームによって、基地局から第３の信号を受信し、かつ、中継ノードは第８のサブフレームによって、第４の信号を基地局に送信する。第３の信号は第４の信号に対する応答信号であるか、又は、第４の信号は第３の信号に対する応答信号である。この方式で、第４のサブフレームは、第８のサブフレームとペアにされることが分かる。そして、第９のサブフレームは第３のサブフレームとペアにされる。
【００３５】
具体的には、第９のサブフレームはダウンリンク中継リンクサブフレームであり、かつ、中継ノードはこのサブフレームによって、受信状態にあり、かつ、基地局から例えばデータ信号を受信する。第３のサブフレームはアップリンク中継リンクサブフレームであり、かつ、中継ノードはこのサブフレームによって、送信状態にあり、かつ、例えばデータ信号に対する復号応答信号ＡＣＫ／ＮＡＣＫを基地局にフィードバックする。第９のサブフレームがダウンリンク中継リンクサブフレームとして使用される場合には、第９のサブフレームはダウンリンクアクセスリンクサブフレームとして使用することができない。そして、移動局は、第９のサブフレームに対応するＡＣＫ／ＮＡＣＫフィードバック位置にある第３のサブフレームによって、ＡＣＫ／ＮＡＣＫを中継ノードにフィードバックしない。したがって、中継ノードは、ＡＣＫ／ＮＡＣＫを第３のサブフレームによって、基地局に送信してもよい。したがって、中継ノードが信号を送るとき、信号を受信しなければならない衝突は回避される。
【００３６】
同様に、中継ノードが信号を第８のサブフレームによって基地局に送信しているときに、移動局は信号を中継ノードに送信してはならない。
【００３７】
図８は、サブフレーム構成１の第４のＡＣＫ／ＮＡＣＫフィードバック方式を示す。
【００３８】
図８に示すように、ＬＴＥ  ＴＤＤのサブフレーム構成１によれば、各々のフレームの第０から第９のサブフレームにおいて、第２、第３、第７及び第８のサブフレームはアップリンクサブフレームであり、かつ、他のサブフレームはダウンリンクサブフレームである。さらに、中継ノードは第４のサブフレームによって、基地局から第５の信号を受信する。そして、中継ノードは第９のサブフレームによって、基地局から第６の信号を受信する。そして、中継ノードは第３のサブフレームによって、基地局に第５の信号及び第６の信号に対する応答信号を送信する。第５の信号及び第６の信号は、データ信号であってもよい。
【００３９】
具体的には、第９及び第４のサブフレームはダウンリンク中継リンクサブフレームであり、かつ、中継ノードはこれらのサブフレームによって、受信状態にあり、かつ、基地局から例えばデータ信号を受信する。さらに、中継ノードは、第９のサブフレームによって、基地局から、データ信号を受信する。第３のサブフレームはアップリンク中継リンクサブフレームであり、かつ、中継ノードはこのサブフレームによって、送信状態にあり、かつ、例えば、第４及び第９のサブフレームにおいて受信したデータ信号に対する復号応答信号ＡＣＫ／ＮＡＣＫが基地局にフィードバックされる。第９のサブフレームがダウンリンク中継リンクサブフレームとして使用される場合には、第９のサブフレームはダウンリンクアクセスリンクサブフレームとして使用することができない。そして、移動局は第９のサブフレームに対応するＡＣＫ／ＮＡＣＫフィードバック位置にある第３のサブフレームによって、ＡＣＫ／ＮＡＣＫを中継ノードにフィードバックしない。したがって、中継ノードは、ＡＣＫ／ＮＡＣＫを第３のサブフレームによって、基地局に送信してもよい。したがって、中継ノードが信号を送るとき、信号を受信しなければならない衝突は、回避される。
【００４０】
同様に、第４のサブフレームにおいて受信されるデータ信号に対して、中継ノードがＡＣＫ／ＮＡＣＫを基地局に送るサブフレーム時間は、第３のサブフレームである。上記したように、中継ノードが信号を基地局に送信しているとき、移動局は信号を中継ノードに送信しない。したがって、上述した衝突は、回避される。
【００４１】
図８の他のケースにおいて、中継ノードは第７の信号を第３のサブフレームによって、基地局に送信し、かつ、中継ノードは基地局から第９のサブフレームによって、第７の信号に対する応答信号を受信する中継ノードは第４のサブフレームによって、基地局から第８の信号を受信し、かつ、中継ノードは第３のサブフレームによって、第８の信号に対する応答信号を基地局に送信する。本願明細書において、第７の信号及び第８の信号は、データ信号であってもよい。
【００４２】
同様に、中継ノードが第８のサブフレームによって、信号を基地局に送信しているとき、移動局は信号を中継ノードに送信しない。
【００４３】
図８で、第９のサブフレームが第３のサブフレームとペアにされることが分かる。しかし、第４のサブフレームはペアにされない。図８において、第８のフレームにおいて移動局から中継ノードに送られるデータ信号のために、中継ノードは、第４のサブフレームによって、ＡＣＫ／ＮＡＣＫをフィードバックしなければならない。しかしながら、第４のサブフレームはダウンリンク中継リンクサブフレームとして使用される。したがって、他の種類の衝突が発生し得る。この種の衝突は、以下の解決案を利用することによって回避され得る。第４フレームにおいて、中継ノードは、第１に、送信状態にあって、かつＡＣＫ／ＮＡＣＫを移動局にフィードバックする。そして、中継ノードは、送信状態から受信状態に切り替えて、ダウンリンクサブフレームになるということである。具体的には、ＬＴＥ  ＴＤＤにおいて、第４のサブフレームは、ＭＢＳＦＮ（マルチキャストブロードキャスト単一周波数ネットワーク）サブフレームとして使用される。サブフレームの第１の１または２個のＯＦＤＭ（直交周波数分割多重）シンボルにおいて、基地局及び中継ノードは、制御及び基準信号（ＡＣＫ／ＮＡＣＫフィードバック信号を含んでもよい）をそれぞれ対応する移動局に送信する。このサブフレームにおいて、次のＯＦＤＭシンボルは、アップリンク中継リンクのために使用される。このオブジェクトを達成するために、基地局の第４のサブフレームは、特別なサブフレームとなるよう構成されなければならない。
この特別なサブフレームにおいて、第１の１または２個のＯＦＤＭシンボル期間の後、基地局が中継ノードから信号を受信することが可能となるよう、基地局は送信状態から受信状態に直ちに切り替える。もちろん、この方式では、次のサブフレームが到着する前に、基地局が、受信状態から送信状態に切り替えることを必要とする。干渉を回避するために、それぞれ受信状態から送信状態への転換（及びその逆）のために２つのＯＦＤＭシンボルが予約されていなければならない点に留意する必要がある。
【００４４】
図９は、サブフレーム構成３の第１のＡＣＫ／ＮＡＣＫフィードバック方式を示す。
【００４５】
図９に示すように、ＬＴＥ  ＴＤＤのサブフレーム構成３によれば、各々のフレームの第０から第９のサブフレームにおいて、第２、第３及び第４のサブフレームはアップリンクサブフレームであり、かつ、他のサブフレームはダウンリンクサブフレームである。さらに、中継ノードは第３のサブフレームによって、第１の信号を基地局に送信し、かつ、中継ノードは第７、又は、第８のサブフレームによって、基地局から第２の信号を受信する。第１の信号は第２の信号に対する応答信号であるか、又は、第２の信号は第１の信号に対する応答信号である。この方式において、第３のサブフレームは、第７の／第８のサブフレームとペアにされることが分かる。
【００４６】
具体的には、第３のサブフレームはアップリンク中継リンクサブフレームであり、かつ、中継ノードはこのサブフレームによって、送信状態にあり、かつ、例えばデータ信号を基地局に送信する。第７、又は、第８のサブフレームはダウンリンク中継リンクサブフレームであり、かつ、中継ノードはこのサブフレームによって、受信状態にあり、かつ、基地局から例えばデータ信号に対する復号応答信号ＡＣＫ／ＮＡＣＫを受信する。第７、又は、第８のサブフレームが使用される場合には、ダウンリンク中継リンクサブフレーム、第７、又は、第８のサブフレームがダウンリンクアクセスリンクサブフレームとして使用することができない。移動局はＡＣＫ／ＮＡＣＫを第７、又は、第８のサブフレームに対応するＡＣＫ／ＮＡＣＫフィードバック位置である第３のサブフレームで、中継ノードにフィードバックしない。したがって、中継ノードは、第３のサブフレームによって、データ信号を基地局に送信してもよい。したがって、中継ノードは、信号を送るときに、信号を受信しなければならないという衝突は回避される。
【００４７】
図９の他のケースにおいて、中継ノードは第７のサブフレームによって、基地局から第９の信号を受信し、かつ、中継ノードは第８のサブフレームによって、基地局から第１０の信号を受信する。中継ノードは、第３のサブフレームによって、第９の信号及び第１０の信号に対する応答信号を基地局に送る。本願明細書において、第９の信号及び第１０の信号は、データ信号であってもよい。
【００４８】
具体的には、アップリンク及びダウンリンク信号伝送間の非対称性（例えば、ダウンリンク方向のデータ量は、通常、アップリンク方向のそれより大きい）を考慮すると、本願明細書において、第７の及び第８のサブフレームはダウンリンク中継リンクサブフレームとして使用される。中継ノードはこれらの２つのサブフレームにおいて、受信状態にあり、かつ、例えば基地局からデータ信号を受信する。第３のサブフレームは、アップリンク中継リンクサブフレームとして使用される。中継ノードは、このサブフレームにおいて、送信状態にあり、かつ、例えば第７の及び第８のサブフレームにおいて受信したデータ信号に対する復号応答信号ＡＣＫ／ＮＡＣＫを基地局に送る。第７の及び第８のサブフレームがダウンリンク中継リンクサブフレームとして使用される場合には、第７及び第８のサブフレームは、ダウンリンクアクセスリンクサブフレームとして使用することができない。移動局は、ＡＣＫ／ＮＡＣＫを、第７の及び第８のサブフレームに対応するＡＣＫ／ＮＡＣＫフィードバック位置にある第３のサブフレームによって、中継ノードにフィードバックしないことになる。したがって、中継ノードは、第３のサブフレームによって、ＡＣＫ／ＮＡＣＫを基地局に送信してもよい。したがって、中継ノードが信号を送るとき、信号を受信しなければならない衝突は、回避される。
【００４９】
図１０は、サブフレーム構成３の第２のＡＣＫ／ＮＡＣＫフィードバック方式を示す。
【００５０】
図１０に示すように、ＬＴＥ  ＴＤＤのサブフレーム構成３によれば、各々のフレームの第０から第９のサブフレームにおいて、第２、第３及び第４のサブフレームはアップリンクサブフレームであり、かつ、他のサブフレームはダウンリンクサブフレームである。さらに、中継ノードは第９のサブフレームによって、基地局から第１の信号を受信し、かつ、中継ノードは第３のサブフレームによって、第２の信号を基地局に送信する。第１の信号は第２の信号に対する応答信号であるか、又は、第２の信号は第１の信号に対する応答信号である。この方式において、第９のサブフレームが第３のサブフレームとペアにされることが分かる。
【００５１】
具体的には、第９のサブフレームはダウンリンク中継リンクサブフレームであり、かつ、中継ノードはこのサブフレームにおいて、受信状態にあり、かつ、基地局から例えばデータ信号を受信する。第３のサブフレームはアップリンク中継リンクサブフレームであり、かつ、中継ノードはこのサブフレームにおいて、送信状態にあり、かつ、例えばデータ信号に対する復号応答信号ＡＣＫ／ＮＡＣＫを基地局に送信する。第９のサブフレームがダウンリンク中継リンクサブフレームとして使用される場合には、第９のサブフレームはダウンリンクアクセスリンクサブフレームとして使用することができない。そして、移動局は、ＡＣＫ／ＮＡＣＫを、第９のサブフレームに対応するＡＣＫ／ＮＡＣＫフィードバック位置にある第３のサブフレームによって、中継ノードにフィードバックしない。したがって、中継ノードは、ＡＣＫ／ＮＡＣＫを第３のサブフレームによって、基地局に送信してもよい。したがって、中継ノードが信号を送るとき、信号を受信しなければならない衝突は、回避される。
【００５２】
図１１は、第７番目の、サブフレーム構成６に従った、予め定められたダウンリンクサブフレーム及び予め定められたアップリンクサブフレームを示している。
【００５３】
図１１に示すように、ＬＴＥ  ＴＤＤのサブフレーム構成６によれば、各々のフレームの第０から第９のサブフレームにおいて、第２、第３、第４、第７及び第８のサブフレームはアップリンクサブフレームであり、かつ、他のサブフレームはダウンリンクサブフレームである。さらに、中継ノードは第４のサブフレームによって、第１の信号を基地局に送信し、かつ、中継ノードは第９のサブフレームによって、基地局から第２の信号を受信する。第１の信号は第２の信号に対する応答信号であるか、又は、第２の信号は第１の信号に対する応答信号である。この方式において、第９のサブフレームが第４のサブフレームとペアにされることが分かる。
【００５４】
具体的には、第４のサブフレームはアップリンク中継リンクサブフレームであり、かつ、中継ノードはこのサブフレームにおいて、送信状態にあり、かつ、例えばデータ信号を基地局に送信する。第９のサブフレームはダウンリンク中継リンクサブフレームであり、かつ、中継ノードはこのサブフレームによって、受信状態にあり、かつ、例えば基地局からデータ信号に対する復号応答信号ＡＣＫ／ＮＡＣＫを受信する。第９のサブフレームがダウンリンク中継リンクサブフレームとして使用される場合には、第９のサブフレームはダウンリンクアクセスリンクサブフレームとして使用することができない。そして、移動局は、第９のサブフレームに対応するＡＣＫ／ＮＡＣＫフィードバック位置にある第４のサブフレームによって、信号を中継ノードに送信しない。したがって、中継ノードは、データ信号を第４のサブフレームによって、基地局に送信してもよい。したがって、中継ノードが信号を送るとき、信号を受信しなければならない衝突は回避される。
【００５５】
図１２は、本発明の一実施形態に従った中継ノードの構造を示す。
【００５６】
例えばＬＴＥ  ＴＤＤシステムで、実施形態によって提供される中継ノード１２００は、時分割二重通信方式において使用される。したがって、ＬＴＥ  ＴＤＤシステムは、基地局、移動局及び中継ノード１２００を含む。中継ノード１２００は、トランシーバ１２０２を含む。トランシーバ１２０２は、同時に受信状態及び送信状態とはならない。そして、トランシーバ１２０２は、フレームの予め定められたダウンリンクサブフレームによって、基地局から、第１の信号を受信し、かつ、第２の信号をフレームの予め定められたアップリンクサブフレームによって、基地局に送信するよう構成され、第１の信号は第２の信号に対する応答信号であるか、又は、第２の信号は第１の信号に対する応答信号である。
【００５７】
中継ノード１２００のトランシーバ１２０２はまた、上述した図５−図１１に示されるいかなるフローを実行するように構成されてもよい。そして、それは本願明細書においては詳述しない。
【００５８】
図１３は、本発明の一実施形態による時分割二重通信方式の構造を示す。
【００５９】
実施形態によって提供される時分割二重通信方式１３００は、上述の実施形態２より提供される、基地局１３０２、移動局１３０６及び中継ノード１３０４を含む。
【００６０】
時分割二重通信方式１３００は、ＬＴＥ  ＴＤＤシステムであってもよい。
【００６１】
中継ノード１３０４に対して、それぞれ予め定められたダウンリンクサブフレーム及び予め定められたアップリンクサブフレームによって、信号を送受信させるために、基地局１３０２は、通信の初めに中継ノード１３０４に予め定められたダウンリンクサブフレーム及び予め定められたアップリンクサブフレームを知らせるよう構成される。基地局１３０２は通信の初めに異なる中継ノード１３０４に同じ予め定められたダウンリンクサブフレーム及び予め定められたアップリンクサブフレームを知らせるように構成されてもよい。そして、基地局１３０２はまた、通信の初めに異なる中継ノード１３０４に異なる予め定められたダウンリンクサブフレーム及び予め定められたアップリンクサブフレームを知らせるように構成されてもよい。
【００６２】
図５−図１１で示された中継リンクサブフレームに関しては、それが中継ノード及び基地局間の通信において、このサブフレーム位置が利用されてもよいことを意味しているだけである点に留意する必要がある。そして、これは中継ノード及び移動局間の通信、及び基地局及び移動局間の通信がこのサブフレーム位置を利用することができないことを意味するものではない。一実施形態において、基地局及び移動局間の通信は、また、このサブフレーム位置を利用してもよい。別の実施形態において、中継ノード及び移動局間の通信は、また、このサブフレーム位置を利用してもよい。中継ノード及び移動局間の通信、又は、基地局及び移動局間の通信がこのサブフレーム位置を利用する場合には、従来技術の（例えば図２に示すような）ＡＣＫ／ＮＡＣＫに対するフィードバック位置が利用されてもよい。
【００６３】
上述のパラグラフにおいて、本発明の実施形態は、例示としてＬＴＥ  ＴＤＤワイヤレス通信システムを採用する点を記載している。しかしながら、本発明の実施形態がそれらに限られるわけではなく、類似したＴＤＤ無線通信方式に適用されてもよいことが理解されなければならない。
【００６４】
各々のコンポーネント、又は、デバイス及び本発明の方法におけるステップが分解されてもよく、かつ／または、再結合されてもよいことが明らかである。これらの分解および／または再結合は、本発明の均等物の方式であると理解されなければならない。さらに、前述の方法を順次実行するステップは、記載されたように自然に実行されてもよい。しかしながら、ステップが、時系列に従って必ずしも実行されるというわけではない。いくつかのステップは、並行して、又は、独立に行われてもよい。
【００６５】
本発明及びその効果を詳述したが、添付の請求項に係る本発明の技術的範囲及び精神を逸脱しない範囲で、様々な変更、置き替え、バリエーションがなされてもよい。更に、「有する」、「含む」の語、又は、その同義語は、非排他的であり、インクルードするものである。したがって、一連の要素を含む手順、方法、製品、又は、手段は、それらの要素を含むばかりでなく、特に示されない他の要素を含んでもよい。また、方法、装置、手段の内在的な要素を含んでもよい。
【００６６】
本発明の実施形態については、前述の添付の図面とともに詳細に記載されているが、上述した実施形態は、本発明の説明のためのものであり、本発明を制限するものではないと理解されなければならない。当業者においては、本発明の技術的範囲を逸脱しない範囲で、上述の実施例に対して、様々な変形、変更がなされ得る。したがって、本発明の技術的範囲は、添付の請求項及びその均等物の意味により定義される。
【００６７】
以上の実施形態に対し、以下の付記を開示する。
（付記１）
時分割二重通信方式の通信方法であって、前記通信方式は、基地局（base station）、移動局（mobile station）及び中継ノード（relay）を含み、前記中継ノードは、同時に受信状態及び送信状態になることはなく、当該通信方法は、
前記中継ノードによって、フレームの予め定められたダウンリンクサブフレームにおいて、第１の信号を前記基地局から、受信するステップと；
前記中継ノードによって、フレームの予め定められたアップリンクサブフレームにおいて、第２の信号を前記基地局に送信するステップと；
を有し、
前記第１の信号は前記第２の信号に対する応答信号であるか、又は、前記第２の信号は前記第１の信号に対する応答信号である、方法。
（付記２）
各々のフレームは、第０のサブフレームから第９のサブフレームまでの１０個のサブフレームを有し、前記第２、前記第３、前記第７及び前記第８のサブフレームはアップリンクサブフレームであり、かつ、他のサブフレームはダウンリンクサブフレームであり、かつ、
前記中継ノードは、前記第４のサブフレームによって、前記基地局から、前記第１の信号を受信し、かつ、前記中継ノードは、前記第８のサブフレームによって、前記基地局に前記第２の信号を送信し；又は、
前記中継ノードは、前記第９のサブフレームによって、前記基地局から、前記第１の信号を受信し、かつ、前記中継ノードは、前記第３のサブフレームによって、前記基地局に前記第２の信号を送信する、
付記１記載の方法。
（付記３）
各々のフレームは、第０のサブフレームから第９のサブフレームまでの１０個のサブフレームを有し、前記第２、前記第３、前記第７及び前記第８のサブフレームは、アップリンクサブフレームであり、他のサブフレームは、ダウンリンクサブフレームであり、かつ
前記中継ノードは、前記第９のサブフレームによって、前記基地局から、前記第１の信号を受信し、前記中継ノードは、前記第３のサブフレームによって、前記基地局に前記第２の信号を送信し；かつ、前記中継ノードは、前記第４のサブフレームによって、前記基地局から、第３の信号を受信し、かつ、前記中継ノードは、前記第８のサブフレームによって、前記基地局に第４の信号を送信し、前記第３の信号は、前記第４の信号に対する応答信号、又は、前記第４の信号は、前記第３の信号に対する応答信号である、
付記１記載の方法。
（付記４）
各々のフレームは、第０のサブフレームから第９のサブフレームまでの１０個のサブフレームを有し、前記第２、前記第３、前記第７及び前記第８のサブフレームは、アップリンクサブフレームであり、他のサブフレームは、ダウンリンクサブフレームであり、かつ、
前記中継ノードは、前記第４のサブフレームによって、前記基地局から、第５の信号を受信し、前記中継ノードは、前記第９のサブフレームによって、前記基地局から、第６の信号を受信し；かつ、前記中継ノードが前記第３のサブフレームによって、前記基地局に前記第５の信号及び前記第６の信号に対する応答信号を送信する、
付記１記載の方法。
（付記５）
各々のフレームは、第０のサブフレームから第９のサブフレームまでの１０個のサブフレームを有し、前記第２、前記第３、前記第７及び前記第８のサブフレームは、アップリンクサブフレームであり、他のサブフレームは、ダウンリンクサブフレームであり、かつ、
前記中継ノードが前記第３のサブフレームによって、前記基地局に第７の信号を送信し、前記中継ノードは、前記第９のサブフレームによって、前記基地局から、前記第７の信号に対する応答信号を受信し、前記中継ノードは、前記第４のサブフレームによって、前記基地局から、第８の信号を受信し、かつ、前記中継ノードは、前記第３のサブフレームによって、前記基地局に、前記第８の信号に対する応答信号を送信する、
付記１記載の方法。
（付記６）
各々のフレームは、第０のサブフレームから第９のサブフレームまでの１０個のサブフレームを有し、前記第２、前記第３、及び前記第４のサブフレームは、アップリンクサブフレームであり、他のサブフレームは、ダウンリンクサブフレームであり、かつ、
前記中継ノードが前記第３のサブフレームによって、前記基地局に前記第１の信号を送信し、前記中継ノードは、前記第７、又は、前記第８のサブフレームによって、前記基地局から、前記第２の信号を受信し；又は、
前記中継ノードは、前記第９のサブフレームによって、前記基地局から、前記第１の信号を受信し、前記中継ノードは、前記第３のサブフレームによって、前記基地局に前記第２の信号を送信する、
付記１記載の方法。
（付記７）
各々のフレームは、第０のサブフレームから第９のサブフレームまでの１０個のサブフレームを有し、前記第２、前記第３、及び前記第４のサブフレームは、アップリンクサブフレームであり、他のサブフレームは、ダウンリンクサブフレームであり、かつ、
前記中継ノードは、前記第７のサブフレームによって、前記基地局から、第９の信号を受信し、前記中継ノードは、前記第８のサブフレームによって、前記基地局から、第１０の信号を受信し、かつ、前記中継ノードは、前記第３のサブフレームによって、前記基地局に前記第９の信号及び前記第１０の信号に対する応答信号を送信する、
付記１記載の方法。
（付記８）
各々のフレームは、第０のサブフレームから第９のサブフレームまでの１０個のサブフレームを有し、前記第２、前記第３、前記第７及び前記第８のサブフレームは、アップリンクサブフレームであり、他のサブフレームは、ダウンリンクサブフレームであり、かつ、
前記中継ノードは、前記第４のサブフレームによって、前記基地局に前記第１の信号を送信し、前記中継ノードは、前記第９のサブフレームによって、前記基地局から、前記第２の信号を受信する、
付記１記載の方法。
（付記９）
時分割二重通信方式において使用される、中継ノード（relay）であって、前記通信システムは、基地局（base station）、移動局（mobile station）及び中継ノード（relay）を含んでおり、前記中継ノードは、同時に受信状態及び送信状態になることはないトランシーバを含み、前記トランシーバは、
フレームの予め定められたダウンリンクサブフレームを前記基地局から、第１の信号を受信し；
第２の信号のフレームを予め定められたアップリンクサブフレームで前記基地局に送信する；
処理を実行するよう構成されており、
前記第１の信号は、前記第２の信号に対する応答信号であるか、又は、前記第２の信号は、前記第１の信号に対する応答信号である、
中継ノード。
（付記１０）
各々のフレームは、第０のサブフレームから第９のサブフレームまでの１０個のサブフレームを有し、前記第２、前記第３、前記第７及び前記第８のサブフレームは、アップリンクサブフレームであり、他のサブフレームは、ダウンリンクサブフレームであり、かつ、
前記トランシーバは、前記第４のサブフレームによって、前記基地局から前記第１の信号を受信し、かつ、前記第２の信号を前記第８のサブフレームによって、前記基地局に送信するように構成され；又は、
前記トランシーバは、前記第９のサブフレームによって、前記基地局から前記第１の信号を受信し、かつ、前記第３のサブフレームによって、前記第２の信号を前記基地局に送信するように構成される、
付記９記載の中継ノード。
（付記１１）
各々のフレームは、第０のサブフレームから第９のサブフレームまでの１０個のサブフレームを備え、前記第２、前記第３、前記第７及び前記第８のサブフレームは、アップリンクサブフレームであり、他のサブフレームは、ダウンリンクサブフレームであり、かつ、
前記トランシーバは、前記第９のサブフレームによって、前記基地局から前記第１の信号を受信し、かつ、前記第２の信号を前記第３のサブフレームによって、前記基地局に送信するように構成され；かつ、前記トランシーバは、前記第４のサブフレームによって、前記基地局から前記第３の信号を受信し、かつ、第４の信号を前記第８のサブフレームによって、前記基地局に送信するように構成され、前記第３の信号は前記第４の信号に対する応答信号であるか、又は、前記第４の信号は前記第３の信号に対する応答信号である、
付記９記載の中継ノード。
（付記１２）
各々のフレームは、第０のサブフレームから第９のサブフレームまでの１０個のサブフレームを備え、前記第２、前記第３、前記第７及び前記第８のサブフレームは、アップリンクサブフレームであり、他のサブフレームは、ダウンリンクサブフレームであり、かつ、
前記トランシーバは、前記第４のサブフレームによって、前記基地局から第５の信号を受信し、前記第９のサブフレームによって、第６の信号を前記基地局から受信し、かつ、前記第５の前記信号及び第６の信号に対する応答信号を、前記第３のサブフレームによって、前記基地局に信号を送信するように構成される、
付記９記載の中継ノード。
（付記１３）
各々のフレームは、第０のサブフレームから第９のサブフレームまでの１０個のサブフレームを備え、前記第２、前記第３、前記第７及び前記第８のサブフレームは、アップリンクサブフレームであり、他のサブフレームは、ダウンリンクサブフレームであり、かつ、
前記トランシーバは、第７の信号を前記第３のサブフレームによって、前記基地局に送信し、前記第９のサブフレームによって、前記基地局から、前記第７の信号に対する応答信号を受信し、前記第４のサブフレームによって、前記基地局からの第８の信号を受信し、かつ、前記第３のサブフレームによって、前記基地局に対する前記第８の信号に対する応答信号を送るよう構成される、
付記９記載の中継ノード。
（付記１４）
各々のフレームは、第０のサブフレームから第９のサブフレームまでの１０個のサブフレームを有し、前記第２、前記第３、及び前記第４のサブフレームは、アップリンクサブフレームであり、他のサブフレームは、ダウンリンクサブフレームであり、かつ、
前記トランシーバは、前記第１の信号を前記第３のサブフレームによって、前記基地局に送信し、かつ、前記第７、又は、前記第８のサブフレームによって、前記基地局から前記第２の信号を受信するように構成され；又は、
前記トランシーバは、前記第９のサブフレームによって、前記基地局から前記第１の信号を受信し、かつ、前記第３のサブフレームによって、前記第２の信号を前記基地局に送信するように構成される、
付記９記載の中継ノード。
（付記１５）
各々のフレームは、第０のサブフレームから第９のサブフレームまでの１０個のサブフレームを有し、前記第２、前記第３、及び前記第４のサブフレームは、アップリンクサブフレームであり、他のサブフレームは、ダウンリンクサブフレームであり、かつ、
前記トランシーバは、前記第７のサブフレームによって、前記基地局から第９の信号を受信し、前記第８のサブフレームによって、第１０の信号を前記基地局から受信し、かつ、前記第３のサブフレームによって、前記第９及び前記第１０の信号に対する応答信号を前記基地局に送るように構成される、
付記９記載の中継ノード。
（付記１６）
各々のフレームは、第０のサブフレームから第９のサブフレームまでの１０個のサブフレームを備え、前記第２、前記第３、前記第７、第４、及び前記第８のサブフレームは、アップリンクサブフレームであり、他のサブフレームは、ダウンリンクサブフレームであり、かつ、
トランシーバは、前記第１の信号を前記第４のサブフレームによって、前記基地局に送信し、かつ、前記第９のサブフレームによって、前記基地局から前記第２の信号を受信するように構成される、
付記９記載の中継ノード。
（付記１７）
基地局、移動局、及び中継ノードを有する、付記９ないし１６のうちいずれか１項記載の時分割二重通信システム。
（付記１８）
前記基地局は、通信の初めに、前記中継ノードに予め定められたアップリンクサブフレーム及び予め定められたダウンリンクサブフレームを知らせるように構成される、付記１７記載の時分割二重通信システム。
（付記１９）
前記基地局は、通信の初めに、異なる前記中継ノードに異なる予め定められたアップリンクサブフレーム及び予め定められたダウンリンクサブフレームを知らせるように構成される、付記１８記載の時分割二重通信システム。
【図１】
2013502767.tif 000004
【図２】
2013502767.tif 000005
【図３】
2013502767.tif 000006
【図４】
2013502767.tif 000007
【図５】
2013502767.tif 000008
【図６】
2013502767.tif 000009
【図７】
2013502767.tif 000010
【図８】
2013502767.tif 000011
【図９】
2013502767.tif 000012
【図１０】
2013502767.tif 000013
【図１１】
2013502767.tif 000014
【図１２】
2013502767.tif 000015
【図１３】
2013502767.tif 000016
【国際調査報告】
2013502767.tif 000017
2013502767.tif 000018
2013502767.tif 000019
2013502767.tif 000020